(57)【特許請求の範囲】
【請求項１】
冷蔵庫の底部前側に固定されたキャスター付支持脚部材と、該キャスター付支持脚部材に回転可能に螺着している高さ調節脚とを備え、該高さ調節脚は本体部及び螺子部を有し、
前記本体部は、該本体部の中心部に前記螺子部を固定する中央ボス部と、該中央ボス部の外周側に円周状に複数配置されて前記高さ調節脚を回転させる丸みのある円形突起形状の手持ち部と、を有し、
該手持ち部は、前記円形突起形状の前記中央ボス部側の直線形状部との交差部にＶ字状凹所が形成され、
該Ｖ字状凹所は、前記本体部の外周半径よりも小さく、且つ該本体部の外周半径の半分の寸法よりも大きい寸法の位置に設けたことを特徴とする冷蔵庫。
【請求項２】
請求項１において、
前記高さ調節脚は樹脂製で、前記本体部高さが１２ｍｍ以下であることを特徴とする冷蔵庫。
【発明の詳細な説明】
【技術分野】
【０００１】
本発明は、冷蔵庫に関する。
【背景技術】
【０００２】
図９に示すように、従来の高さ調節脚１１は手で掴んで回すことができる程高さが充分にある為、手で回すことだけを意図したものであり、高さ調節脚は大部分に渡って手で持ちやすい丸みを帯びた形状かつ角張った溝のない形状が一般的であった。従来例として特許文献１がある。
【０００３】
図１０に示すように、従来の冷蔵庫は、高さ調節脚が手で回すのに適した、高さがある程度大きなものである。冷蔵庫床面からの距離２１が大きかった。
【０００４】
また図１１に示すように、高さ調節脚の樹脂素材からなる部分に工具を係合させる孔２２を設け、回転させるのを容易にした形状の高さ調節脚の例があるが、工具を充分差し込まないと回転させることは困難である。従来例として特許文献２がある。
【０００５】
【特許文献１】実開昭６０−７５８８１号公報
【特許文献２】特開平４−３２０７８３号公報
【発明の開示】
【発明が解決しようとする課題】
【０００６】
上記図１０の従来技術のように、手で回して高さ調節を容易にした調節脚を備えたものは、冷蔵庫底面と部屋の床面との間の隙間寸法２１が大きい為、その分庫内容積を小さくしていた。そこで、冷蔵庫の外形寸法を変えずに食品貯蔵容積を増加させるには、冷蔵庫底面と部屋の床面との隙間寸法を従来より小さくすることが考えられる。その為には高さ調節脚の高さ寸法を小さくすることが必須条件となる。その際、使用者が掃除等で冷蔵庫を移動させる場合に、床面との摩擦を減らす為に高さ調節脚を調節して調節脚を床面から浮かすように上げるが、高さ調節脚の高さが従来よりも小さい為、手で掴み難いという問題が考えられる。
【０００７】
上記従来の手で回す構造の高さ調節脚は、外周形状には指が接触する部分に細かい溝が刻まれており、その形状で高さ寸法を小さくした高さ調節脚を手で回転させる場合には手で掴み難い為操作が困難であり、特許文献１の例のものを高さ寸法を小さくした場合は高さ調節脚の機能を果たし難い。
【０００８】
更に図１１の高さ調節脚の高さ寸法を小さくした場合は、工具係合用の孔に例えばドライバ等の工具を差し込んで回転させるが、工具のグリップ部が床面に接してしまう為、工具を回転操作することが困難となる。また、孔を開けることにより高さ調節脚自体の強度も弱くなる虞がある。
【０００９】
更には近年の住宅事情や食生活の変化に伴い、冷蔵庫市場では省スペース大容量化が大きなニーズとなっており、前述の通り外形寸法を変えずに内容積を増加させる手段として、冷蔵庫を設置する床面と冷蔵庫底面の空間高さ寸法を狭くとる方法が考えられる。それに伴って、引き出し扉高さと床面との隙間寸法が小さくなり、移動する為のキャスター付支持脚および、支持脚に取り付けてある回転式の高さ調節脚は従来のものより高さ寸法の小さい薄型化された構造を使用すれば解決できる。例えば調節脚の高さをＩＥＣ規格の試験指程度の高さで考えると１２mm程度に薄くすると良いと思われる。
【００１０】
しかし冷蔵庫を据え付ける際には、調節脚を回転させ床面に冷蔵庫を固定し、掃除等で移動する場合に調節脚を床面から離脱させるが、調節脚が薄くなったことにより、従来のように手で回して調節するのは困難である。
【００１１】
薄くなった調節脚を回すのは成人の太い指では容易でないことから、身近にある工具を用いて回転させる調節脚を備える冷蔵庫が求められる。
【００１２】
本発明は、庫内容積を大きくする為に高さ調節脚の高さ寸法を小さくしたものであっても、高さ調節脚を容易かつ安全に回転調節できることを目的とする。
【課題を解決するための手段】
【００１３】
本発明は、冷蔵庫の底部前側に固定されたキャスター付支持脚部材と、該キャスター付支持脚部材に回転可能に螺着している高さ調節脚とを備え、該高さ調節脚は本体部及び螺子部を有し、前記本体部は、該本体部の中心部に前記螺子部を固定する中央ボス部と、該中央ボス部の外周側に円周状に複数配置されて前記高さ調節脚を回転させる丸みのある円形突起形状の手持ち部と、を有し、該手持ち部は、前記円形突起形状の前記中央ボス部側の直線形状部との交差部にＶ字状凹所が形成され、該Ｖ字状凹所は、前記本体部の外周半径よりも小さく、且つ該本体部の外周半径の半分の寸法よりも大きい寸法の位置に設けたことを特徴とする。これにより、工具が係止し易く、凹部が数箇所設けられており、工具を押して調節脚を回転する際に小さな力で高さ調節脚を回転させることができる冷蔵庫とした。
また、手で触れる手持ち部は丸みを帯びた円形状の安全な構造であり、且つ手が掛かり易い突起形状が円形パターン上に数箇所設けられている冷蔵庫とした。
また、例えばマイナスドライバのような先端尖形工具で係止する場合に、より係止し易く、係止した状態を維持する効果を期待できる構造である冷蔵庫とした。
【００１４】
さらに、前記高さ調節脚は樹脂製で、前記本体部高さが１２mm以下であることを特徴とする。これにより、手で掴むことができる高さである１２mmである冷蔵庫とした。
【００１７】
尚、高さ調節脚を工具を用いて回転させる場合に工具が係止し易い凹所を提供する冷蔵庫とした。例えば、工具先端は通常マイナスドライバに代表されるもので、先端の幅寸法が６mm〜８mm程度が最も一般的に普及しており、高さ調節脚の係止部の高さ寸法は８mm程度以上あれば充分である。又、上記記載の以外の方法で工具を用いて高さ調節脚を回転する場合であり、所謂梃子の要領で工具先端を前記凹所に係止させ、工具先端から１０mm程度離れたの工具の軸部側面の部分で押せる凸形状を高さ調節脚外周に設けた冷蔵庫とした。
【発明の効果】
【００１８】
本発明によれば、庫内容積を大きくすることができると共に、容易かつ安全に高さ調節脚を回転操作することができる。
【発明を実施するための最良の形態】
【００１９】
本発明の実施の形態について、以下図面に基づいて説明する。
（冷蔵庫の全体構成）
図１は本発明による冷蔵庫の斜視図であり、図２は冷蔵庫中央の縦断面図である。図１および図２において、冷蔵庫本体１は複数の収納室に分割されており、最上部は冷蔵室２ａとなっていてその扉は一例としては左右両側に開くフレンチドア２となっている。冷蔵室２ａの下側は左右に分割された収納室となっており、例えばその一方は引き出し扉３で構成されている機能切り替え室３ａとなっており、もう一方は図示しない自動製氷装置によって製作された氷を蓄積して取り出す引き出し扉４で構成されている製氷室４となっている。さらにその下部は手前に引き出して開放可能な引き出し扉５を備えた冷凍室５ａとなっており、最下段も引き出し扉６を備えた野菜室６ａとなっている構成である。尚、上段が野菜室６ａで、その下段が冷凍室５ａとなる構成でも良い。冷蔵庫本体底面前側の角部左右には移動手段を備えたキャスター１０および、高さ調節脚９付き冷蔵庫支持脚部材８が螺子固定されており、その支持脚を意匠上隠蔽する為の化粧カバー７で構成されている。冷蔵庫は前側支持脚８のキャスター１０と後側の冷蔵庫本体に固定されているキャスター１０′で前後に移動することができる。
【００２０】
図３は冷蔵庫底面の斜視図であり、図４は支持脚構成部品の斜視図である。支持脚８は運搬時の手掛けハンドル部８ａおよび、キャスター１０が回転可能なピンで固定されている部分と、高さ調節脚９が螺合されている部分８ｂが一体で構成され、螺子固定部８ｃを冷蔵庫底面に螺子固定している。
【００２１】
図５は冷蔵庫据え付け時および、移動時の支持脚構成部の状態を表したものであり、据え付け時は高さ調節脚９が床面に接しており、移動時は脚に螺合してある高さ調節脚を回転し床面と非接触９′にすることで、床面との摩擦を無くし移動し易くする。
【００２２】
図６は高さ調節脚を一部断面とした斜視図および上面図であり、高さ調節脚は樹脂製の本体部および金属性螺子部９ｂからなり、螺子部９ｂは樹脂製本体部と一体化構造となっている。樹脂製本体は楕円を含む円形状または多角形である。また、本体部は主に螺子固定の中央ボス部９ａ，回転させる時の手持ち部９ｃおよび、後に記す工具を係止することのできる手持ち部９ｃの円弧形状部と直線形状部の交差部であるＶ字状凹所９ｄより構成されている。本形状は、工具が係止し易いＶ字状凹所が円形パターン状に数箇所設けられており、工具を押して調節脚を回転する際に、凹所から外れにくい形状である。さらに、図中記載寸法の高さ調節脚本体部の外周半径Ｌ１の半分の寸法より大きいＬ２である位置に凹所を設け、工具を用いて高さ調節脚を回転調節する場合により小さな力でおこなうことができる。手持ち部９ｃは手で回転させることが容易に出来る場合に、手で触れる手持ち部は丸みを帯びた円形状の安全な構造であり、且つ手が掛かり易い突起形状が円形パターン上に数箇所設けられている。
【００２３】
図７にマイナスドライバを用いて、高さ調節脚を回転させる様子を示す。図５に示した床面に接触した調節脚９の状態から、移動時の床面と非接触の状態９′にするのに、図の回転方向に回転させれば良いが、床面の状態等により、指で高さ調節脚を回転させることが困難である場合に、マイナスドライバ先端を高さ調節脚Ｖ字状凹所９ｄに係止させ、マイナスドライバを押すことで安全かつ容易に調節脚を回転させることができる。
【００２４】
図８に示すように、マイナスドライバ先端をアジャスタＶ字状凹所９ｄに係止させ、マイナスドライバ先端から１０mm程度離れた軸部側面の部分で突起形状の手持ち部９ｃを梃子の原理（要領）で回転方向に押すことで図７同様容易に回転させることできる。
【図面の簡単な説明】
【００２５】
【図１】本発明による冷蔵庫の構成を示す斜視図。
【図２】本発明による冷蔵庫の構成を示す断面図。
【図３】本発明による冷蔵庫底面部構成を示す斜視図。
【図４】本発明による冷蔵庫の支持脚構成部斜視図。
【図５】本発明による冷蔵庫の据付時と移動時の支持脚構成部状態図。
【図６】本発明による冷蔵庫の高さ調節脚斜視図および上面図。
【図７】本発明によるドライバを用いて高さ調節脚を操作する図。
【図８】本発明によるドライバを用いて高さ調節脚を操作する図。
【図９】従来冷蔵庫の底面前部の支持脚構成部。
【図１０】従来冷蔵庫および、支持脚構成部側面図。
【図１１】従来冷蔵庫高さ調節脚。
【符号の説明】
【００２６】
１  冷蔵庫本体
２  冷蔵室扉
２ａ  冷蔵室
３  切り替え室扉
３ａ  切り替え室
４  製氷室扉
４ａ  製氷室
５  冷凍室扉
５ａ  冷凍室
６  野菜室扉
６ａ  野菜室
７  化粧カバー
８  底面前部支持脚
８ａ  支持脚ハンドル部
８ｂ  支持脚キャスターおよび高さ調節脚固定部
８ｃ  支持脚ネジ固定部
９  高さ調節脚（冷蔵庫据え付け時。床面接触）
９′  高さ調節脚（冷蔵庫移動時。床面非接触）
９ａ  高さ調節脚中央ボス部
９ｂ  高さ調節脚ネジ部
９ｃ  高さ調節脚手持ち部
９ｄ  高さ調節脚Ｖ字状凹所
１０  支持脚のキャスター
１０′  冷蔵庫本体後部のキャスター
２０  従来冷蔵庫の高さ調節脚
２１  従来冷蔵庫の床面から冷蔵庫底面までの高さ寸法
２２  従来冷蔵庫の高さ調節脚の工具係合部穴
【図１】
0004825752.tif 000002
【図２】
0004825752.tif 000003
【図３】
0004825752.tif 000004
【図４】
0004825752.tif 000005
【図５】
0004825752.tif 000006
【図６】
0004825752.tif 000007
【図７】
0004825752.tif 000008
【図８】
0004825752.tif 000009
【図９】
0004825752.tif 000010
【図１０】
0004825752.tif 000011
【図１１】
0004825752.tif 000012